(57)【要約】【課題】本発明は小分けボトル自動洗浄装置を開示した。【解決手段】洗浄本体を含み、モータが起動され伝動輪を回転連動させ、伝動輪が噛合により回転輪を回転連動させ、連結ロッドが回転輪の回転と共に回転し、液体流出パイプが水を噴射するとき、パイプの中に入り、スライド板をプッシュし左に移動させ、左側のスポンジが小分けボトルの内壁と周りの底壁にへばり付き、小分けボトルが便利に固定されることができ、便利に取り出すこともでき、昇降機構の作用のもとで洗浄ロッドが容易に小分けボトルの中に插入されることができ、洗浄ロッドの交換に便利であり、異なる規格の洗浄ロッドを利用し異なる種類の小分けボトルを洗浄でき、ボルト内の各位置が洗浄されることができる。【選択図】図１
2020175356.tif 000002
【特許請求の範囲】
【請求項１】
洗浄本体を含み、前記洗浄本体はサイド板を含み、前記サイド板の右端面には底板と液体箱が固定的に取り付けられ、前記液体箱の頂部端面には連結ヘッドが固定的に取り付けられ、前記連結ヘッドの中には回転部品が設置され、前記回転部品は回転チャンバを含み、前記回転チャンバの頂壁の中にはモータが固定的に取り付けられ、前記モータの下向きの出力軸には伝動輪が固定的に取り付けられ、前記回転チャンバの上下内壁の間には前記伝動輪と噛合する回転輪が回転できるように取り付けられ、前記回転輪の中には小分けボトルを挟んで洗浄する洗浄ロッドがあり、前記サイド板には昇降機構が設置され、前記昇降機構は前記サイド板の頂部端面に固定的に取り付けられる昇降モータを含み、前記サイド板の左端面の中には昇降溝が設置され、前記昇降モータの下向きの出力軸には前記昇降溝の中に入るねじボルトが固定的に連結され、前記昇降溝の中にはネジ山ブロックがスライドできるように取り付けられ、前記ネジ山ブロックと前記ねじボルトとがネジ山により係合され、前記ネジ山ブロックの左端面には挟み板が固定的に取り付けられ、前記挟み板には小分けボトルを挟むことができる挟み部品が設置され、前記挟み部品が二つあり、かつ前後対称となり、前後両側の前記挟み部品は前記挟み板の頂部端面の中に位置する上方に開口したスライド溝Ａと、スライド溝Ｂ及びスライド溝Ｃを含むことを特徴とする小分けボトル自動洗浄装置。
【請求項２】
前記洗浄本体はまた前記液体箱と前記底板との間に位置する保存チャンバを含み、前記保存チャンバの上下内壁の間には回転ドアが回転できるように取り付けられ、前記液体箱の中には液体チャンバが設置され、前記液体チャンバの頂壁には加水口が固定的に取り付けられ、前記液体チャンバの右側内壁には栓が密封で取り付けられ、前記連結ヘッドの中には水ポンプが固定的に取り付けられ、前記水ポンプの下方にある入水口には前記液体チャンバの中に入る吸液パイプが密封で取り付けられ、前記水ポンプの上方にある出水口には液体流出パイプが密封で取り付けられ、前記栓を引き抜くと前記液体チャンバの中にある液体を排出でき、前記水ポンプを始動すると前記吸液パイプを通じて液体を吸い、また前記液体流出パイプを通じて噴射できることを特徴とする請求項１に記載の小分けボトル自動洗浄装置。
【請求項３】
前記回転部品はまた前記回転輪の中に位置する下方に開口した連結チャンバを含み、前記液体流出パイプが下へ前記連結チャンバの中に入り、前記連結チャンバの内壁の中には中心対称の引掛り連結溝が設置され、前記引掛り連結溝が開口部とバックル部に分けられ、前記モータを始動すると前記伝動輪を駆動し回転させることができ、前記伝動輪が噛合により前記回転輪を駆動し回転させることを特徴とする請求項１に記載の小分けボトル自動洗浄装置。
【請求項４】
前記洗浄ロッドは連結ロッドを含み、前記連結ロッドの頂部端面の中には回転ヘッドが回転できるように取り付けられ、前記液体流出パイプが前記回転ヘッドと密封で連結されることができ、前記連結ロッドの外側端面には左右対称の引掛り連結ブロックが固定的に取り付けられ、前記引掛り連結ブロックが前記引掛り連結溝とスライドできるように係合されることができ、前記連結ロッドの左端面の中には左方に開口したスライド板溝が設置され、前記スライド板溝の中にはスライド板がスライドできるように取り付けられ、前記スライド板溝の上下内壁には対称のリミット溝が設置され、前記スライド板の上下端面には対称のリミットブロックが固定的に取り付けられ、前記リミットブロックと前記リミット溝とがスライドできるように係合され、前記スライド板溝の右側壁と前記連結ロッドの頂部端面との間にはパイプが連通するように設置され、前記スライド板の左端面と前記連結ロッドの右端面にはスポンジが設置され、前記引掛り連結ブロックを前記引掛り連結溝の開口部に合わせて插入し、前記引掛り連結ブロックを回転させ前記バックル部の中に入らせることを特徴とする請求項１に記載の小分けボトル自動洗浄装置。
【請求項５】
前記挟み部品はまた前記スライド溝Ａの中にスライドできるように取り付けられるスライドブロックＡを含み、前記スライド溝Ｂの中には左右対称のスライドブロックＢがスライドできるように取り付けられ、前記スライド溝Ｃの中にはスライドブロックＣがスライドできるように取り付けられ、前記スライドブロックＡと前記スライド溝Ａの内壁との間にはばねＡが設置され、左右両側の前記スライドブロックＢの間にはばねＢが設置され、前記スライドブロックＣと前記スライド溝Ｃの内壁との間にはばねＣが設置され、前記スライドブロックＡにはヒンジ連結ロッドＡがヒンジにより連結され、前記ヒンジ連結ロッドＡと前記スライド溝Ｂとがヒンジにより連結され、前記スライド溝Ｂにはヒンジ連結ロッドＢがヒンジにより連結され、前記ヒンジ連結ロッドＢと前記スライドブロックＣとがヒンジにより連結され、前記スライドブロックＣにはプッシュブロックが固定的に取り付けられ、前後両側の前記プッシュブロックの端面には挟みブロックが固定的に取り付けられ、前記スライドブロックＡの左端面には連接棒が固定的に取り付けられ、両側の前記連接棒を中間に集め、両側の前記挟みブロックを駆動し離れさせ初め、前記連接棒を緩めた後、前記ばねＡ、前記ばねＢ及び前記ばねＣの作用のもとで、両側の前記スライドブロックＡが両側に移動し、前記スライドブロックＢが互いに近づき、前記スライドブロックＣが中間に移動することを特徴とする請求項１に記載の小分けボトル自動洗浄装置。
【発明の詳細な説明】
【技術分野】
【０００１】
本発明は小分けボトル洗浄分野を取り上げて、具体的には小分けボトル自動洗浄装置である。
【背景技術】
【０００２】
人々は小分けボトルを利用し大きなボトルの中にある液体を分けて小さいボトルに入れ、携帯に便利であり、しかし、同じ小分けボトルに固定的に同じ液体を入れるわけではなく、異なる液体を入れる前に小分けボトルをきれいに洗浄する必要があり、液体が互いに影響し、しかし小分けボトルが便利に携帯するために、細長い設計が多く、洗浄しにくく、洗浄されるとき回転し続ける必要があり、操作しにくい。
【先行技術文献】
【特許文献】
【０００３】
【特許文献１】中国特許出願公開第１０１８０４４０９号明細書
【発明の概要】
【発明が解決しようとする課題】
【０００４】
本発明の目的は小分けボトル自動洗浄装置を提供し、上記の現在の技術中の問題を解決するのである。
【課題を解決するための手段】
【０００５】
本発明の小分けボトル自動洗浄装置は、洗浄本体を含み、前記洗浄本体はサイド板を含み、前記サイド板の右端面には底板と液体箱が固定的に取り付けられ、前記液体箱の頂部端面には連結ヘッドが固定的に取り付けられ、前記連結ヘッドの中には回転部品が設置され、前記回転部品は回転チャンバを含み、前記回転チャンバの頂壁の中にはモータが固定的に取り付けられ、前記モータの下向きの出力軸には伝動輪が固定的に取り付けられ、前記回転チャンバの上下内壁の間には前記伝動輪と噛合する回転輪が回転できるように取り付けられ、前記回転輪の中には小分けボトルを挟んで洗浄する洗浄ロッドがあり、前記サイド板には昇降機構が設置され、前記昇降機構は前記サイド板の頂部端面に固定的に取り付けられる昇降モータを含み、前記サイド板の左端面の中には昇降溝が設置され、前記昇降モータの下向きの出力軸には前記昇降溝の中に入るねじボルトが固定的に連結され、前記昇降溝の中にはネジ山ブロックがスライドできるように取り付けられ、前記ネジ山ブロックと前記ねじボルトとがネジ山により係合され、前記ネジ山ブロックの左端面には挟み板が固定的に取り付けられ、前記挟み板には小分けボトルを挟むことができる挟み部品が設置され、前記挟み部品が二つあり、かつ前後対称となり、前後両側の前記挟み部品は前記挟み板の頂部端面の中に位置する上方に開口したスライド溝Ａと、スライド溝Ｂ及びスライド溝Ｃを含む。
【０００６】
更の技術プランには、前記洗浄本体はまた前記液体箱と前記底板との間に位置する保存チャンバを含み、前記保存チャンバの上下内壁の間には回転ドアが回転できるように取り付けられ、前記液体箱の中には液体チャンバが設置され、前記液体チャンバの頂壁には加水口が固定的に取り付けられ、前記液体チャンバの右側内壁には栓が密封で取り付けられ、前記連結ヘッドの中には水ポンプが固定的に取り付けられ、前記水ポンプの下方にある入水口には前記液体チャンバの中に入る吸液パイプが密封で取り付けられ、前記水ポンプの上方にある出水口には液体流出パイプが密封で取り付けられる。
【０００７】
更の技術プランには、前記回転部品はまた前記回転輪の中に位置する下方に開口した連結チャンバを含み、前記液体流出パイプが下へ前記連結チャンバの中に入り、前記連結チャンバの内壁の中には中心対称の引掛り連結溝が設置され、前記引掛り連結溝が開口部とバックル部に分けられる。
【０００８】
更の技術プランには、前記洗浄ロッドは連結ロッドを含み、前記連結ロッドの頂部端面の中には回転ヘッドが回転できるように取り付けられ、前記液体流出パイプが前記回転ヘッドと密封で連結されることができ、前記連結ロッドの外側端面には左右対称の引掛り連結ブロックが固定的に取り付けられ、前記引掛り連結ブロックが前記引掛り連結溝とスライドできるように係合されることができ、前記連結ロッドの左端面の中には左方に開口したスライド板溝が設置され、前記スライド板溝の中にはスライド板がスライドできるように取り付けられ、前記スライド板溝の上下内壁には対称のリミット溝が設置され、前記スライド板の上下端面には対称のリミットブロックが固定的に取り付けられ、前記リミットブロックと前記リミット溝とがスライドできるように係合され、前記スライド板溝の右側壁と前記連結ロッドの頂部端面との間にはパイプが連通するように設置され、前記スライド板の左端面と前記連結ロッドの右端面にはスポンジが設置される。
【０００９】
更の技術プランには、前記挟み部品はまた前記スライド溝Ａの中にスライドできるように取り付けられるスライドブロックＡを含み、前記スライド溝Ｂの中には左右対称のスライドブロックＢがスライドできるように取り付けられ、前記スライド溝Ｃの中にはスライドブロックＣがスライドできるように取り付けられ、前記スライドブロックＡと前記スライド溝Ａの内壁との間にはばねＡが設置され、左右両側の前記スライドブロックＢの間にはばねＢが設置され、前記スライドブロックＣと前記スライド溝Ｃの内壁との間にはばねＣが設置され、前記スライドブロックＡにはヒンジ連結ロッドＡがヒンジにより連結され、前記ヒンジ連結ロッドＡと前記スライド溝Ｂとがヒンジにより連結され、前記スライド溝Ｂにはヒンジ連結ロッドＢがヒンジにより連結され、前記ヒンジ連結ロッドＢと前記スライドブロックＣとがヒンジにより連結され、前記スライドブロックＣにはプッシュブロックが固定的に取り付けられ、前後両側の前記プッシュブロックの端面には挟みブロックが固定的に取り付けられ、前記スライドブロックＡの左端面には連接棒が固定的に取り付けられる。
【発明の効果】
【００１０】
本発明の有益な効果は：小分けボトルが便利に固定されることができ、便利に取り出すこともでき、昇降機構の作用のもとで洗浄ロッドが容易に小分けボトルの中に插入されることができ、洗浄ロッドの交換に便利であり、異なる規格の洗浄ロッドを利用し異なる種類の小分けボトルを洗浄でき、ボルト内の各位置が洗浄されることができ、普及する価値がある。
【図面の簡単な説明】
【００１１】
【図１】図１は本発明の全体構成略図
【図２】図２は図１のＡ方向の上面略図
【図３】図３は図１のＢの拡大略図
【図４】図４は図１のＣの拡大略図
【図５】図５は回転輪のＤ方向の略図
【図６】図６は図３のＥ−Ｅ方向の断面構成略図
【図７】図７は図４のＦ−Ｆ方向の断面構成略図
【図８】図８は引掛り連結溝の平面展開略図
【発明を実施するための形態】
【００１２】
下記に図１〜８をあわせて本発明について詳しく説明し、便利に説明するために、下記の方向を以下のように規定する：以下に述べる上下左右前後の方向と図１の自身投影関係の上下左右前後の方向とが一致である。
【００１３】
図１−８に示すように、本発明の小分けボトル自動洗浄装置は、洗浄本体９０１を含み、前記洗浄本体９０１はサイド板１２を含み、前記サイド板１２の右端面には底板３１と液体箱２３が固定的に取り付けられ、前記液体箱２３の頂部端面には連結ヘッド２０が固定的に取り付けられ、前記連結ヘッド２０の中には回転部品９０２が設置され、前記回転部品９０２は回転チャンバ５０を含み、前記回転チャンバ５０の頂壁の中にはモータ４７が固定的に取り付けられ、前記モータ４７の下向きの出力軸には伝動輪４８が固定的に取り付けられ、前記回転チャンバ５０の上下内壁の間には前記伝動輪４８と噛合する回転輪５１が回転できるように取り付けられ、前記回転輪５１の中には小分けボトルを挟んで洗浄する洗浄ロッド９０３があり、前記サイド板１２には昇降機構９０４が設置され、前記昇降機構９０４は前記サイド板１２の頂部端面に固定的に取り付けられる昇降モータ１６を含み、前記サイド板１２の左端面の中には昇降溝１４が設置され、前記昇降モータ１６の下向きの出力軸には前記昇降溝１４の中に入るねじボルト１５が固定的に連結され、前記昇降溝１４の中にはネジ山ブロック１３がスライドできるように取り付けられ、前記ネジ山ブロック１３と前記ねじボルト１５とがネジ山により係合され、前記ネジ山ブロック１３の左端面には挟み板１０が固定的に取り付けられ、前記挟み板１０には小分けボトル１１を挟むことができる挟み部品９０５が設置され、前記挟み部品９０５が二つあり、かつ前後対称となり、前後両側の前記挟み部品９０５は前記挟み板１０の頂部端面の中に位置する上方に開口したスライド溝Ａ３２と、スライド溝Ｂ３４及びスライド溝Ｃ３７を含む。
【００１４】
有益なまたは例示のように、前記洗浄本体９０１はまた前記液体箱２３と前記底板３１との間に位置する保存チャンバ２８を含み、前記保存チャンバ２８の上下内壁の間には回転ドア３０が回転できるように取り付けられ、前記液体箱２３の中には液体チャンバ２６が設置され、前記液体チャンバ２６の頂壁には加水口２５が固定的に取り付けられ、前記液体チャンバ２６の右側内壁には栓２７が密封で取り付けられ、前記連結ヘッド２０の中には水ポンプ２２が固定的に取り付けられ、前記水ポンプ２２の下方にある入水口には前記液体チャンバ２６の中に入る吸液パイプ２９が密封で取り付けられ、前記水ポンプ２２の上方にある出水口には液体流出パイプ１９が密封で取り付けられ、加水口２５により液体チャンバ２６の中に水と洗剤を入れ、栓２７を引き抜くと液体チャンバ２６の中にある液体を排出でき、水ポンプ２２を始動すると吸液パイプ２９を通じて液体を吸い、また液体流出パイプ１９を通じて噴射できる。
【００１５】
前記回転部品９０２はまた前記回転輪５１の中に位置する下方に開口した連結チャンバ５７を含み、前記液体流出パイプ１９が下へ前記連結チャンバ５７の中に入り、前記連結チャンバ５７の内壁の中には中心対称の引掛り連結溝５３が設置され、前記引掛り連結溝５３が開口部９９５とバックル部９９３に分けられ、モータ４７を始動すると伝動輪４８を駆動し回転させることができ、伝動輪４８が噛合により回転輪５１を駆動し回転させる。
【００１６】
有益なまたは例示のように、前記洗浄ロッド９０３は連結ロッド５５を含み、前記連結ロッド５５の頂部端面の中には回転ヘッド５６が回転できるように取り付けられ、前記液体流出パイプ１９が前記回転ヘッド５６と密封で連結されることができ、前記連結ロッド５５の外側端面には左右対称の引掛り連結ブロック５２が固定的に取り付けられ、前記引掛り連結ブロック５２が前記引掛り連結溝５３とスライドできるように係合されることができ、前記連結ロッド５５の左端面の中には左方に開口したスライド板溝６３が設置され、前記スライド板溝６３の中にはスライド板６１がスライドできるように取り付けられ、前記スライド板溝６３の上下内壁には対称のリミット溝５８が設置され、前記スライド板６１の上下端面には対称のリミットブロック６０が固定的に取り付けられ、前記リミットブロック６０と前記リミット溝５８とがスライドできるように係合され、前記スライド板溝６３の右側壁と前記連結ロッド５５の頂部端面との間にはパイプ５４が連通するように設置され、前記スライド板６１の左端面と前記連結ロッド５５の右端面にはスポンジ１７が設置され、洗浄ロッド９０３を取り付けるとき、引掛り連結ブロック５２を引掛り連結溝５３の開口部９９５に合わせて插入し、引掛り連結ブロック５２を回転させバックル部９９３の中に入らせる。
【００１７】
前記挟み部品９０５はまた前記スライド溝Ａ３２の中にスライドできるように取り付けられるスライドブロックＡ３３を含み、前記スライド溝Ｂ３４の中には左右対称のスライドブロックＢ３５がスライドできるように取り付けられ、前記スライド溝Ｃ３７の中にはスライドブロックＣ３８がスライドできるように取り付けられ、前記スライドブロックＡ３３と前記スライド溝Ａ３２の内壁との間にはばねＡ４４が設置され、左右両側の前記スライドブロックＢ３５の間にはばねＢ４５が設置され、前記スライドブロックＣ３８と前記スライド溝Ｃ３７の内壁との間にはばねＣ４６が設置され、前記スライドブロックＡ３３にはヒンジ連結ロッドＡ４３がヒンジにより連結され、前記ヒンジ連結ロッドＡ４３と前記スライド溝Ｂ３４とがヒンジにより連結され、前記スライド溝Ｂ３４にはヒンジ連結ロッドＢ４２がヒンジにより連結され、前記ヒンジ連結ロッドＢ４２と前記スライドブロックＣ３８とがヒンジにより連結され、前記スライドブロックＣ３８にはプッシュブロック４０が固定的に取り付けられ、前後両側の前記プッシュブロック４０の端面には挟みブロック４１が固定的に取り付けられ、前記スライドブロックＡ３３の左端面には連接棒３６が固定的に取り付けられ、両側の連接棒３６を中間に集め、両側の挟みブロック４１を駆動し離れさせ初め、小分けボトル１１を置くことができ、連接棒３６を緩めた後、ばねＡ４４、ばねＢ４５及びばねＣ４６の作用のもとで、挟みブロック４１が中間に移動し、小分けボトル１１を挟む。
【００１８】
使用するとき、加水口２５を通して液体チャンバ２６の中に水と洗剤を入れ、引掛り連結ブロック５２を引掛り連結溝５３の開口部９９５に合わせて插入され、九十度に回転した後に下に引っ張り、引掛り連結ブロック５２がバックル部９９３の中に入り、固定を完成し、両側の連接棒３６を中間に集め、スライドブロックＡ３３を駆動し中間に移動させ、ヒンジ連結ロッドＡ４３を駆動し移動させ、ヒンジ連結ロッドＡ４３が左右両側のスライドブロックＢ３５を駆動し左右に移動させ、ヒンジ連結ロッドＢ４２を駆動し同時に移動させ、両側のスライドブロックＣ３８を駆動し前後に移動させ、両側の挟みブロック４１が離れ初め、小分けボトル１１を挟み板１０に置き、連接棒３６を緩めた後に、ばねＡ４４、ばねＢ４５及びばねＣ４６の作用のもとで、両側のスライドブロックＡ３３が両側に移動し、スライドブロックＢ３５が互いに近づき、スライドブロックＣ３８が中間に移動し、同時に挟みブロック４１が中間に移動し、小分けボトル１１を挟み、昇降モータ１６を始動しねじボルト１５を駆動し回転させ、ねじボルト１５がネジ山係合によりネジ山ブロック１３と挟み板１０とを駆動し上に移動させ、洗浄ロッド９０３が小分けボトル１１に插入され、水ポンプ２２が起動され吸液パイプ２９を通じて液体を吸い、また液体流出パイプ１９を通じて噴射でき、モータ４７が起動され伝動輪４８を駆動し回転させ、伝動輪４８が噛合により回転輪５１を駆動し回転させ、連結ロッド５５が回転輪５１の回転と共に回転し、液体流出パイプ１９が水を噴射するとき、パイプ５４の中に入り、スライド板６１をプッシュし左に移動させ、左側のスポンジ１７が小分けボトル１１の内壁と周りの底壁にへばり付き、右側のスポンジ１７が中間の底壁と頂壁を洗浄でき、洗浄が終わると、栓２７を引き抜き液体チャンバ２６の中にある液体を排出する。
【００１９】
本発明の有益な効果は：小分けボトルが便利に固定されることができ、便利に取り出すこともでき、昇降機構の作用のもとで洗浄ロッドが容易に小分けボトルの中に插入されることができ、洗浄ロッドの交換に便利であり、異なる規格の洗浄ロッドを利用し異なる種類の小分けボトルを洗浄でき、ボルト内の各位置が洗浄されることができ、普及する価値がある。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175356.tif 000003
【図２】
2020175356.tif 000004
【図３】
2020175356.tif 000005
【図４】
2020175356.tif 000006
【図５】
2020175356.tif 000007
【図６】
2020175356.tif 000008
【図７】
2020175356.tif 000009
【図８】
2020175356.tif 000010
【手続補正書】
【提出日】令和2年3月30日(2020.3.30)
【手続補正１】
【補正対象書類名】特許請求の範囲
【補正対象項目名】全文
【補正方法】変更
【補正の内容】
【特許請求の範囲】
【請求項１】
洗浄本体を含み、前記洗浄本体はサイド板を含み、前記サイド板の右端面には底板と液体箱が固定的に取り付けられ、前記液体箱の頂部端面には連結ヘッドが固定的に取り付けられ、前記連結ヘッドの中には回転部品が設置され、前記回転部品は回転チャンバの頂壁の中に固定的に取り付けられたモータを含み、前記モータの下向きの出力軸には伝動輪が固定的に取り付けられ、前記回転チャンバの上下内壁の間には前記伝動輪と噛合する回転輪が回転できるように取り付けられ、前記回転輪の中には小分けボトルを洗浄する洗浄ロッドが挟まれており、前記サイド板には昇降機構が設置され、前記昇降機構は前記サイド板の頂部端面に固定的に取り付けられる昇降モータを含み、前記サイド板の左端面の中には昇降溝が設置され、前記昇降モータの下向きの出力軸には前記昇降溝の中に入るねじボルトが固定的に連結され、前記昇降溝の中にはネジ山ブロックがスライドできるように取り付けられ、前記ネジ山ブロックと前記ねじボルトとがネジ山により係合され、前記ネジ山ブロックの左端面には挟み板が固定的に取り付けられ、前記挟み板には小分けボトルを挟むことができる挟み部品が設置され、前記挟み部品が二つあり、かつ前後対称となり、前後両側の前記挟み部品は前記挟み板の頂部端面の中に位置する上方に開口したスライド溝Ａと、スライド溝Ｂ及びスライド溝Ｃを含むことを特徴とする小分けボトル自動洗浄装置。
【請求項２】
前記洗浄本体はまた前記液体箱と前記底板との間に位置する保存チャンバを含み、前記保存チャンバの上下内壁の間には回転ドアが回転できるように取り付けられ、前記液体箱の中には液体チャンバが設置され、前記液体チャンバの頂壁には加水口が固定的に取り付けられ、前記液体チャンバの右側内壁には栓が密封で取り付けられ、前記連結ヘッドの中には水ポンプが固定的に取り付けられ、前記水ポンプの下方にある入水口には前記液体チャンバの中に入る吸液パイプが密封で取り付けられ、前記水ポンプの上方にある出水口には液体流出パイプが密封で取り付けられ、前記栓を引き抜くと前記液体チャンバの中にある液体を排出でき、前記水ポンプを始動すると前記吸液パイプを通じて液体を吸い、また前記液体流出パイプを通じてパイプの中に噴射できることを特徴とする請求項１に記載の小分けボトル自動洗浄装置。
【請求項３】
前記回転部品はまた前記回転輪の中に位置する下方に開口した連結チャンバを含み、前記液体流出パイプの上端が左へ延びており且つ前記連結チャンバの上端壁を貫通して前記連結チャンバの中に位置し、前記連結チャンバの内壁の中には中心対称の引掛り連結溝が設置され、前記引掛り連結溝が開口部とバックル部に分けられ、前記モータを始動すると前記伝動輪を駆動し回転させることができ、前記伝動輪が噛合により前記回転輪を駆動し回転させることを特徴とする請求項１に記載の小分けボトル自動洗浄装置。
【請求項４】
前記洗浄ロッドは連結ロッドを含み、前記連結ロッドの頂部端面の中には回転ヘッドが回転できるように取り付けられ、前記液体流出パイプが前記回転ヘッドと密封で連結されることができ、前記連結ロッドの外側端面には左右対称の引掛り連結ブロックが固定的に取り付けられ、前記引掛り連結ブロックが前記引掛り連結溝とスライドできるように係合されることができ、前記連結ロッドの左端面の中には左方に開口したスライド板溝が設置され、前記スライド板溝の中にはスライド板がスライドできるように取り付けられ、前記スライド板溝の上下内壁には対称のリミット溝が設置され、前記スライド板の上下端面には対称のリミットブロックが固定的に取り付けられ、前記リミットブロックと前記リミット溝とがスライドできるように係合され、前記スライド板溝の右側壁と前記連結ロッドの頂部端面との間にはパイプが連通するように設置され、前記スライド板の左端面と前記連結ロッドの右端面にはスポンジが設置され、前記引掛り連結ブロックを前記引掛り連結溝の開口部に合わせて插入し、前記引掛り連結ブロックを回転させ前記バックル部の中に入らせることを特徴とする請求項１に記載の小分けボトル自動洗浄装置。
【請求項５】
前記挟み部品はまた前記スライド溝Ａの中にスライドできるように取り付けられるスライドブロックＡを含み、前記スライド溝Ｂの中には左右対称のスライドブロックＢがスライドできるように取り付けられ、前記スライド溝Ｃの中にはスライドブロックＣがスライドできるように取り付けられ、前記スライドブロックＡと前記スライド溝Ａの内壁との間にはばねＡが設置され、左右両側の前記スライドブロックＢの間にはばねＢが設置され、前記スライドブロックＣと前記スライド溝Ｃの内壁との間にはばねＣが設置され、前記スライドブロックＡにはヒンジ連結ロッドＡがヒンジにより連結され、前記ヒンジ連結ロッドＡと前記スライドブロックＢとがヒンジにより連結され、前記スライドブロックＢにはヒンジ連結ロッドＢがヒンジにより連結され、前記ヒンジ連結ロッドＢと前記スライドブロックＣとがヒンジにより連結され、前記スライドブロックＣにはプッシュブロックが固定的に取り付けられ、前後両側の前記プッシュブロックの端面には挟みブロックが固定的に取り付けられ、前記スライドブロックＡの左端面には連接棒が固定的に取り付けられ、両側の前記連接棒を互いに近付け、前記ヒンジ連結ロッドＡと前記ヒンジ連結ロッドＢとの伝動により二つの前記挟みブロックを互いに離れさせ、前記連接棒を緩めた後、前記ばねＡ、前記ばねＢ及び前記ばねＣの作用のもとで、両側の前記スライドブロックＡが両側に移動し、前記スライドブロックＢが互いに近づき、前記スライドブロックＣが中間に移動することを特徴とする請求項１に記載の小分けボトル自動洗浄装置。
【手続補正２】
【補正対象書類名】明細書
【補正対象項目名】全文
【補正方法】変更
【補正の内容】
【発明の詳細な説明】
【技術分野】
【０００１】
本発明は小分けボトル洗浄分野を取り上げて、具体的には小分けボトル自動洗浄装置である。
【背景技術】
【０００２】
人々は小分けボトルを利用し大きなボトルの中にある液体を分けて小さいボトルに入れ、携帯に便利であり、しかし、同じ小分けボトルに固定的に同じ液体を入れるわけではなく、異なる液体を入れる前に小分けボトルをきれいに洗浄する必要があり、液体が互いに影響し、しかし小分けボトルが便利に携帯するために、細長い設計が多く、洗浄しにくく、洗浄されるとき回転し続ける必要があり、操作しにくい。
【先行技術文献】
【特許文献】
【０００３】
【特許文献１】中国特許出願公開第１０１８０４４０９号明細書
【発明の概要】
【発明が解決しようとする課題】
【０００４】
本発明の目的は小分けボトル自動洗浄装置を提供し、上記の現在の技術中の問題を解決するのである。
【課題を解決するための手段】
【０００５】
本発明の小分けボトル自動洗浄装置は、洗浄本体を含み、前記洗浄本体はサイド板を含み、前記サイド板の右端面には底板と液体箱が固定的に取り付けられ、前記液体箱の頂部端面には連結ヘッドが固定的に取り付けられ、前記連結ヘッドの中には回転部品が設置され、前記回転部品は回転チャンバの頂壁の中に固定的に取り付けられたモータを含み、前記モータの下向きの出力軸には伝動輪が固定的に取り付けられ、前記回転チャンバの上下内壁の間には前記伝動輪と噛合する回転輪が回転できるように取り付けられ、前記回転輪の中には小分けボトルを洗浄する洗浄ロッドが挟まれており、前記サイド板には昇降機構が設置され、前記昇降機構は前記サイド板の頂部端面に固定的に取り付けられる昇降モータを含み、前記サイド板の左端面の中には昇降溝が設置され、前記昇降モータの下向きの出力軸には前記昇降溝の中に入るねじボルトが固定的に連結され、前記昇降溝の中にはネジ山ブロックがスライドできるように取り付けられ、前記ネジ山ブロックと前記ねじボルトとがネジ山により係合され、前記ネジ山ブロックの左端面には挟み板が固定的に取り付けられ、前記挟み板には小分けボトルを挟むことができる挟み部品が設置され、前記挟み部品が二つあり、かつ前後対称となり、前後両側の前記挟み部品は前記挟み板の頂部端面の中に位置する上方に開口したスライド溝Ａと、スライド溝Ｂ及びスライド溝Ｃを含む。
【０００６】
更の技術プランには、前記洗浄本体はまた前記液体箱と前記底板との間に位置する保存チャンバを含み、前記保存チャンバの上下内壁の間には回転ドアが回転できるように取り付けられ、前記液体箱の中には液体チャンバが設置され、前記液体チャンバの頂壁には加水口が固定的に取り付けられ、前記液体チャンバの右側内壁には栓が密封で取り付けられ、前記連結ヘッドの中には水ポンプが固定的に取り付けられ、前記水ポンプの下方にある入水口には前記液体チャンバの中に入る吸液パイプが密封で取り付けられ、前記水ポンプの上方にある出水口には液体流出パイプが密封で取り付けられる。
【０００７】
更の技術プランには、前記回転部品はまた前記回転輪の中に位置する下方に開口した連結チャンバを含み、前記液体流出パイプの上端が左へ延びており且つ前記連結チャンバの上端壁を貫通して前記連結チャンバの中に位置し、前記連結チャンバの内壁の中には中心対称の引掛り連結溝が設置され、前記引掛り連結溝が開口部とバックル部に分けられる。
【０００８】
更の技術プランには、前記洗浄ロッドは連結ロッドを含み、前記連結ロッドの頂部端面の中には回転ヘッドが回転できるように取り付けられ、前記液体流出パイプが前記回転ヘッドと密封で連結されることができ、前記連結ロッドの外側端面には左右対称の引掛り連結ブロックが固定的に取り付けられ、前記引掛り連結ブロックが前記引掛り連結溝とスライドできるように係合されることができ、前記連結ロッドの左端面の中には左方に開口したスライド板溝が設置され、前記スライド板溝の中にはスライド板がスライドできるように取り付けられ、前記スライド板溝の上下内壁には対称のリミット溝が設置され、前記スライド板の上下端面には対称のリミットブロックが固定的に取り付けられ、前記リミットブロックと前記リミット溝とがスライドできるように係合され、前記スライド板溝の右側壁と前記連結ロッドの頂部端面との間にはパイプが連通するように設置され、前記スライド板の左端面と前記連結ロッドの右端面にはスポンジが設置される。
【０００９】
更の技術プランには、前記挟み部品はまた前記スライド溝Ａの中にスライドできるように取り付けられるスライドブロックＡを含み、前記スライド溝Ｂの中には左右対称のスライドブロックＢがスライドできるように取り付けられ、前記スライド溝Ｃの中にはスライドブロックＣがスライドできるように取り付けられ、前記スライドブロックＡと前記スライド溝Ａの内壁との間にはばねＡが設置され、左右両側の前記スライドブロックＢの間にはばねＢが設置され、前記スライドブロックＣと前記スライド溝Ｃの内壁との間にはばねＣが設置され、前記スライドブロックＡにはヒンジ連結ロッドＡがヒンジにより連結され、前記ヒンジ連結ロッドＡと前記スライドブロックＢとがヒンジにより連結され、前記スライドブロックＢにはヒンジ連結ロッドＢがヒンジにより連結され、前記ヒンジ連結ロッドＢと前記スライドブロックＣとがヒンジにより連結され、前記スライドブロックＣにはプッシュブロックが固定的に取り付けられ、前後両側の前記プッシュブロックの端面には挟みブロックが固定的に取り付けられ、前記スライドブロックＡの左端面には連接棒が固定的に取り付けられる。
【発明の効果】
【００１０】
本発明の有益な効果は：小分けボトルが便利に固定されることができ、便利に取り出すこともでき、昇降機構の作用のもとで洗浄ロッドが容易に小分けボトルの中に插入されることができ、洗浄ロッドの交換に便利であり、異なる規格の洗浄ロッドを利用し異なる種類の小分けボトルを洗浄でき、ボルト内の各位置が洗浄されることができ、普及する価値がある。
【図面の簡単な説明】
【００１１】
【図１】図１は本発明の全体構成略図
【図２】図２は図１のＡ方向の上面略図
【図３】図３は図１のＢの拡大略図
【図４】図４は図１のＣの拡大略図
【図５】図５は回転輪のＤ方向の略図
【図６】図６は図３のＥ−Ｅ方向の断面構成略図
【図７】図７は図４のＦ−Ｆ方向の断面構成略図
【図８】図８は引掛り連結溝の平面展開略図
【発明を実施するための形態】
【００１２】
下記に図１〜８をあわせて本発明について詳しく説明し、便利に説明するために、下記の方向を以下のように規定する：以下に述べる上下左右前後の方向と図１の自身投影関係の上下左右前後の方向とが一致である。
【００１３】
図１−８に示すように、本発明の小分けボトル自動洗浄装置は、洗浄本体９０１を含み、前記洗浄本体９０１はサイド板１２を含み、前記サイド板１２の右端面には底板３１と液体箱２３が固定的に取り付けられ、前記液体箱２３の頂部端面には連結ヘッド２０が固定的に取り付けられ、前記連結ヘッド２０の中には回転部品９０２が設置され、前記回転部品９０２は回転チャンバ５０の頂壁の中に固定的に取り付けられたモータ４７を含み、前記モータ４７の下向きの出力軸には伝動輪４８が固定的に取り付けられ、前記回転チャンバ５０の上下内壁の間には前記伝動輪４８と噛合する回転輪５１が回転できるように取り付けられ、前記回転輪５１の中には小分けボトルを洗浄する洗浄ロッド９０３が挟まれており、前記サイド板１２には昇降機構９０４が設置され、前記昇降機構９０４は前記サイド板１２の頂部端面に固定的に取り付けられる昇降モータ１６を含み、前記サイド板１２の左端面の中には昇降溝１４が設置され、前記昇降モータ１６の下向きの出力軸には前記昇降溝１４の中に入るねじボルト１５が固定的に連結され、前記昇降溝１４の中にはネジ山ブロック１３がスライドできるように取り付けられ、前記ネジ山ブロック１３と前記ねじボルト１５とがネジ山により係合され、前記ネジ山ブロック１３の左端面には挟み板１０が固定的に取り付けられ、前記挟み板１０には小分けボトル１１を挟むことができる挟み部品９０５が設置され、前記挟み部品９０５が二つあり、かつ前後対称となり、前後両側の前記挟み部品９０５は前記挟み板１０の頂部端面の中に位置する上方に開口したスライド溝Ａ３２と、スライド溝Ｂ３４及びスライド溝Ｃ３７を含む。
【００１４】
有益なまたは例示のように、前記洗浄本体９０１はまた前記液体箱２３と前記底板３１との間に位置する保存チャンバ２８を含み、前記保存チャンバ２８の上下内壁の間には回転ドア３０が回転できるように取り付けられ、前記液体箱２３の中には液体チャンバ２６が設置され、前記液体チャンバ２６の頂壁には加水口２５が固定的に取り付けられ、前記液体チャンバ２６の右側内壁には栓２７が密封で取り付けられ、前記連結ヘッド２０の中には水ポンプ２２が固定的に取り付けられ、前記水ポンプ２２の下方にある入水口には前記液体チャンバ２６の中に入る吸液パイプ２９が密封で取り付けられ、前記水ポンプ２２の上方にある出水口には液体流出パイプ１９が密封で取り付けられ、加水口２５により液体チャンバ２６の中に水と洗剤を入れ、栓２７を引き抜くと液体チャンバ２６の中にある液体を排出でき、水ポンプ２２を始動すると吸液パイプ２９を通じて液体を吸い、また液体流出パイプ１９を通じてパイプの中に噴射できる。
【００１５】
前記回転部品９０２はまた前記回転輪５１の中に位置する下方に開口した連結チャンバ５７を含み、前記液体流出パイプ１９の上端が左へ延びており且つ前記連結チャンバ５７の上端壁を貫通して前記連結チャンバ５７の中に位置し、前記連結チャンバ５７の内壁の中には中心対称の引掛り連結溝５３が設置され、前記引掛り連結溝５３が開口部９９５とバックル部９９３に分けられ、モータ４７を始動すると伝動輪４８を駆動し回転させることができ、伝動輪４８が噛合により回転輪５１を駆動し回転させる。
【００１６】
有益なまたは例示のように、前記洗浄ロッド９０３は連結ロッド５５を含み、前記連結ロッド５５の頂部端面の中には回転ヘッド５６が回転できるように取り付けられ、前記液体流出パイプ１９が前記回転ヘッド５６と密封で連結されることができ、前記連結ロッド５５の外側端面には左右対称の引掛り連結ブロック５２が固定的に取り付けられ、前記引掛り連結ブロック５２が前記引掛り連結溝５３とスライドできるように係合されることができ、前記連結ロッド５５の左端面の中には左方に開口したスライド板溝６３が設置され、前記スライド板溝６３の中にはスライド板６１がスライドできるように取り付けられ、前記スライド板溝６３の上下内壁には対称のリミット溝５８が設置され、前記スライド板６１の上下端面には対称のリミットブロック６０が固定的に取り付けられ、前記リミットブロック６０と前記リミット溝５８とがスライドできるように係合され、前記スライド板溝６３の右側壁と前記連結ロッド５５の頂部端面との間にはパイプ５４が連通するように設置され、前記スライド板６１の左端面と前記連結ロッド５５の右端面にはスポンジ１７が設置され、洗浄ロッド９０３を取り付けるとき、引掛り連結ブロック５２を引掛り連結溝５３の開口部９９５に合わせて插入し、引掛り連結ブロック５２を回転させバックル部９９３の中に入らせる。
【００１７】
前記挟み部品９０５はまた前記スライド溝Ａ３２の中にスライドできるように取り付けられるスライドブロックＡ３３を含み、前記スライド溝Ｂ３４の中には左右対称のスライドブロックＢ３５がスライドできるように取り付けられ、前記スライド溝Ｃ３７の中にはスライドブロックＣ３８がスライドできるように取り付けられ、前記スライドブロックＡ３３と前記スライド溝Ａ３２の内壁との間にはばねＡ４４が設置され、左右両側の前記スライドブロックＢ３５の間にはばねＢ４５が設置され、前記スライドブロックＣ３８と前記スライド溝Ｃ３７の内壁との間にはばねＣ４６が設置され、前記スライドブロックＡ３３にはヒンジ連結ロッドＡ４３がヒンジにより連結され、前記ヒンジ連結ロッドＡ４３と前記スライドブロックＢ３４とがヒンジにより連結され、前記スライドブロックＢ３４にはヒンジ連結ロッドＢ４２がヒンジにより連結され、前記ヒンジ連結ロッドＢ４２と前記スライドブロックＣ３８とがヒンジにより連結され、前記スライドブロックＣ３８にはプッシュブロック４０が固定的に取り付けられ、前後両側の前記プッシュブロック４０の端面には挟みブロック４１が固定的に取り付けられ、前記スライドブロックＡ３３の左端面には連接棒３６が固定的に取り付けられ、両側の前記連接棒３６を互いに近付け、前記ヒンジ連結ロッドＡ４３と前記ヒンジ連結ロッドＢ４２との伝動により二つの前記挟みブロック４１を互いに離れさせ、小分けボトル１１を置くことができ、連接棒３６を緩めた後、ばねＡ４４、ばねＢ４５及びばねＣ４６の作用のもとで、挟みブロック４１が中間に移動し、小分けボトル１１を挟む。
【００１８】
使用するとき、加水口２５を通して液体チャンバ２６の中に水と洗剤を入れ、引掛り連結ブロック５２を引掛り連結溝５３の開口部９９５に合わせて插入され、九十度に回転した後に下に引っ張り、引掛り連結ブロック５２がバックル部９９３の中に入り、固定を完成し、両側の連接棒３６を中間に集め、スライドブロックＡ３３を駆動し中間に移動させ、ヒンジ連結ロッドＡ４３を駆動し移動させ、ヒンジ連結ロッドＡ４３が左右両側のスライドブロックＢ３５を駆動し左右に移動させ、ヒンジ連結ロッドＢ４２を駆動し同時に移動させ、両側のスライドブロックＣ３８を駆動し前後に移動させ、両側の挟みブロック４１が離れ初め、小分けボトル１１を挟み板１０に置き、連接棒３６を緩めた後に、ばねＡ４４、ばねＢ４５及びばねＣ４６の作用のもとで、両側のスライドブロックＡ３３が両側に移動し、スライドブロックＢ３５が互いに近づき、スライドブロックＣ３８が中間に移動し、同時に挟みブロック４１が中間に移動し、小分けボトル１１を挟み、昇降モータ１６を始動しねじボルト１５を駆動し回転させ、ねじボルト１５がネジ山係合によりネジ山ブロック１３と挟み板１０とを駆動し上に移動させ、洗浄ロッド９０３が小分けボトル１１に插入され、水ポンプ２２が起動され吸液パイプ２９を通じて液体を吸い、また液体流出パイプ１９を通じて噴射でき、モータ４７が起動され伝動輪４８を駆動し回転させ、伝動輪４８が噛合により回転輪５１を駆動し回転させ、連結ロッド５５が回転輪５１の回転と共に回転し、液体流出パイプ１９が水を噴射するとき、パイプ５４の中に入り、スライド板６１をプッシュし左に移動させ、左側のスポンジ１７が小分けボトル１１の内壁と周りの底壁にへばり付き、右側のスポンジ１７が中間の底壁と頂壁を洗浄でき、洗浄が終わると、栓２７を引き抜き液体チャンバ２６の中にある液体を排出する。
【００１９】
本発明の有益な効果は：小分けボトルが便利に固定されることができ、便利に取り出すこともでき、昇降機構の作用のもとで洗浄ロッドが容易に小分けボトルの中に插入されることができ、洗浄ロッドの交換に便利であり、異なる規格の洗浄ロッドを利用し異なる種類の小分けボトルを洗浄でき、ボルト内の各位置が洗浄されることができ、普及する価値がある。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【手続補正書】
【提出日】令和2年6月29日(2020.6.29)
【手続補正１】
【補正対象書類名】特許請求の範囲
【補正対象項目名】全文
【補正方法】変更
【補正の内容】
【特許請求の範囲】
【請求項１】
洗浄本体を含み、前記洗浄本体はサイド板を含み、前記サイド板の右端面には底板と液体箱が固定的に取り付けられ、前記液体箱の頂部端面には連結ヘッドが固定的に取り付けられ、前記連結ヘッドの中には回転部品が設置され、前記回転部品は回転チャンバの頂壁の中に固定的に取り付けられたモータを含み、前記モータの下向きの出力軸には伝動輪が固定的に取り付けられ、前記回転チャンバの上下内壁の間には前記伝動輪と噛合する回転輪が回転できるように取り付けられ、前記回転輪の中には小分けボトルを洗浄する洗浄ロッドが設置され、前記サイド板には昇降機構が設置され、前記昇降機構は前記サイド板の頂部端面に固定的に取り付けられる昇降モータを含み、前記サイド板の左端面の中には昇降溝が設置され、前記昇降モータの下向きの出力軸には前記昇降溝の中に入るねじボルトが固定的に連結され、前記昇降溝の中にはネジ山ブロックがスライドできるように取り付けられ、前記ネジ山ブロックと前記ねじボルトとがネジ山により係合され、前記ネジ山ブロックの左端面には挟み板が固定的に取り付けられ、前記挟み板には小分けボトルを挟むことができる挟み部品が設置され、前記挟み部品が二つあり、かつ前後対称となり、前後両側の前記挟み部品は前記挟み板の頂部端面の中に位置する上方に開口したスライド溝Ａと、スライド溝Ｂ及びスライド溝Ｃを含むことを特徴とする小分けボトル自動洗浄装置。
【請求項２】
前記洗浄本体はまた前記液体箱と前記底板との間に位置する保存チャンバを含み、前記保存チャンバの上下内壁の間には回転ドアが回転できるように取り付けられ、前記液体箱の中には液体チャンバが設置され、前記液体チャンバの頂壁には加水口が固定的に取り付けられ、前記液体チャンバの右側内壁には栓が密封で取り付けられ、前記連結ヘッドの中には水ポンプが固定的に取り付けられ、前記水ポンプの下方にある入水口には前記液体チャンバの中に入る吸液パイプが密封で取り付けられ、前記水ポンプの上方にある出水口には液体流出パイプが密封で取り付けられ、前記栓を引き抜くと前記液体チャンバの中にある液体を排出でき、前記水ポンプを始動すると前記吸液パイプを通じて液体を吸い、また前記液体流出パイプを通じてパイプの中に噴射できることを特徴とする請求項１に記載の小分けボトル自動洗浄装置。
【請求項３】
前記回転部品はまた前記回転輪の中に位置する下方に開口した連結チャンバを含み、前記液体流出パイプの上端が左へ延びており且つ前記連結チャンバの上端壁を貫通して前記連結チャンバの中に位置し、前記連結チャンバの内壁の中には前記液体流出パイプを中心に対称になる引掛り連結溝が設置され、前記引掛り連結溝が開口部とバックル部に分けられ、前記モータを始動すると前記伝動輪を駆動し回転させることができ、前記伝動輪が噛合により前記回転輪を駆動し回転させることを特徴とする請求項２に記載の小分けボトル自動洗浄装置。
【請求項４】
前記洗浄ロッドは連結ロッドを含み、前記連結ロッドの頂部端面の中には回転ヘッドが回転できるように取り付けられ、前記液体流出パイプが前記回転ヘッドと密封で連結されることができ、前記連結ロッドの外側端面には左右対称の引掛り連結ブロックが固定的に取り付けられ、前記引掛り連結ブロックが前記引掛り連結溝とスライドできるように係合されることができ、前記連結ロッドの左端面の中には左方に開口したスライド板溝が設置され、前記スライド板溝の中にはスライド板がスライドできるように取り付けられ、前記スライド板溝の上下内壁には対称のリミット溝が設置され、前記スライド板の上下端面には対称のリミットブロックが固定的に取り付けられ、前記リミットブロックと前記リミット溝とがスライドできるように係合され、前記スライド板溝の右側壁と前記連結ロッドの頂部端面との間にはパイプが連通するように設置され、前記スライド板の左端面と前記連結ロッドの右端面にはスポンジが設置され、前記引掛り連結ブロックを前記引掛り連結溝の開口部に合わせて插入し、前記引掛り連結ブロックを回転させ前記バックル部の中に入らせることを特徴とする請求項３に記載の小分けボトル自動洗浄装置。
【請求項５】
前記挟み部品はまた前記スライド溝Ａの中にスライドできるように取り付けられるスライドブロックＡを含み、前記スライド溝Ｂの中には左右対称のスライドブロックＢがスライドできるように取り付けられ、前記スライド溝Ｃの中にはスライドブロックＣがスライドできるように取り付けられ、前記スライドブロックＡと前記スライド溝Ａの内壁との間にはばねＡが設置され、左右両側の前記スライドブロックＢの間にはばねＢが設置され、前記スライドブロックＣと前記スライド溝Ｃの内壁との間にはばねＣが設置され、前記スライドブロックＡにはヒンジ連結ロッドＡがヒンジにより連結され、前記ヒンジ連結ロッドＡと前記スライドブロックＢとがヒンジにより連結され、前記スライドブロックＢにはヒンジ連結ロッドＢがヒンジにより連結され、前記ヒンジ連結ロッドＢと前記スライドブロックＣとがヒンジにより連結され、前記スライドブロックＣにはプッシュブロックが固定的に取り付けられ、前後両側の前記プッシュブロックの端面には挟みブロックが固定的に取り付けられ、前記スライドブロックＡの左端面には連接棒が固定的に取り付けられ、両側の前記連接棒を互いに近付け、前記ヒンジ連結ロッドＡと前記ヒンジ連結ロッドＢとの伝動により二つの前記挟みブロックを互いに離れさせ、前記連接棒を緩めた後、前記ばねＡ、前記ばねＢ及び前記ばねＣの作用のもとで、両側の前記スライドブロックＡが両側に移動し、前記スライドブロックＢが互いに近づき、前記スライドブロックＣが中間に移動することを特徴とする請求項１に記載の小分けボトル自動洗浄装置。
【手続補正２】
【補正対象書類名】明細書
【補正対象項目名】全文
【補正方法】変更
【補正の内容】
【発明の詳細な説明】
【技術分野】
【０００１】
本発明は小分けボトル洗浄分野を取り上げて、具体的には小分けボトル自動洗浄装置である。
【背景技術】
【０００２】
人々は小分けボトルを利用し大きなボトルの中にある液体を分けて小さいボトルに入れ、携帯に便利であり、しかし、同じ小分けボトルに固定的に同じ液体を入れるわけではなく、異なる液体を入れる前に小分けボトルをきれいに洗浄する必要があり、液体が互いに影響し、しかし小分けボトルが便利に携帯するために、細長い設計が多く、洗浄しにくく、洗浄されるとき回転し続ける必要があり、操作しにくい。
【先行技術文献】
【特許文献】
【０００３】
【特許文献１】中国特許出願公開第１０１８０４４０９号明細書
【発明の概要】
【発明が解決しようとする課題】
【０００４】
本発明の目的は小分けボトル自動洗浄装置を提供し、上記の現在の技術中の問題を解決するのである。
【課題を解決するための手段】
【０００５】
本発明の小分けボトル自動洗浄装置は、洗浄本体を含み、前記洗浄本体はサイド板を含み、前記サイド板の右端面には底板と液体箱が固定的に取り付けられ、前記液体箱の頂部端面には連結ヘッドが固定的に取り付けられ、前記連結ヘッドの中には回転部品が設置され、前記回転部品は回転チャンバの頂壁の中に固定的に取り付けられたモータを含み、前記モータの下向きの出力軸には伝動輪が固定的に取り付けられ、前記回転チャンバの上下内壁の間には前記伝動輪と噛合する回転輪が回転できるように取り付けられ、前記回転輪の中には小分けボトルを洗浄する洗浄ロッドが設置され、前記サイド板には昇降機構が設置され、前記昇降機構は前記サイド板の頂部端面に固定的に取り付けられる昇降モータを含み、前記サイド板の左端面の中には昇降溝が設置され、前記昇降モータの下向きの出力軸には前記昇降溝の中に入るねじボルトが固定的に連結され、前記昇降溝の中にはネジ山ブロックがスライドできるように取り付けられ、前記ネジ山ブロックと前記ねじボルトとがネジ山により係合され、前記ネジ山ブロックの左端面には挟み板が固定的に取り付けられ、前記挟み板には小分けボトルを挟むことができる挟み部品が設置され、前記挟み部品が二つあり、かつ前後対称となり、前後両側の前記挟み部品は前記挟み板の頂部端面の中に位置する上方に開口したスライド溝Ａと、スライド溝Ｂ及びスライド溝Ｃを含む。
【０００６】
更の技術プランには、前記洗浄本体はまた前記液体箱と前記底板との間に位置する保存チャンバを含み、前記保存チャンバの上下内壁の間には回転ドアが回転できるように取り付けられ、前記液体箱の中には液体チャンバが設置され、前記液体チャンバの頂壁には加水口が固定的に取り付けられ、前記液体チャンバの右側内壁には栓が密封で取り付けられ、前記連結ヘッドの中には水ポンプが固定的に取り付けられ、前記水ポンプの下方にある入水口には前記液体チャンバの中に入る吸液パイプが密封で取り付けられ、前記水ポンプの上方にある出水口には液体流出パイプが密封で取り付けられる。
【０００７】
更の技術プランには、前記回転部品はまた前記回転輪の中に位置する下方に開口した連結チャンバを含み、前記液体流出パイプの上端が左へ延びており且つ前記連結チャンバの上端壁を貫通して前記連結チャンバの中に位置し、前記連結チャンバの内壁の中には前記液体流出パイプを中心に対称になる引掛り連結溝が設置され、前記引掛り連結溝が開口部とバックル部に分けられる。
【０００８】
更の技術プランには、前記洗浄ロッドは連結ロッドを含み、前記連結ロッドの頂部端面の中には回転ヘッドが回転できるように取り付けられ、前記液体流出パイプが前記回転ヘッドと密封で連結されることができ、前記連結ロッドの外側端面には左右対称の引掛り連結ブロックが固定的に取り付けられ、前記引掛り連結ブロックが前記引掛り連結溝とスライドできるように係合されることができ、前記連結ロッドの左端面の中には左方に開口したスライド板溝が設置され、前記スライド板溝の中にはスライド板がスライドできるように取り付けられ、前記スライド板溝の上下内壁には対称のリミット溝が設置され、前記スライド板の上下端面には対称のリミットブロックが固定的に取り付けられ、前記リミットブロックと前記リミット溝とがスライドできるように係合され、前記スライド板溝の右側壁と前記連結ロッドの頂部端面との間にはパイプが連通するように設置され、前記スライド板の左端面と前記連結ロッドの右端面にはスポンジが設置される。
【０００９】
更の技術プランには、前記挟み部品はまた前記スライド溝Ａの中にスライドできるように取り付けられるスライドブロックＡを含み、前記スライド溝Ｂの中には左右対称のスライドブロックＢがスライドできるように取り付けられ、前記スライド溝Ｃの中にはスライドブロックＣがスライドできるように取り付けられ、前記スライドブロックＡと前記スライド溝Ａの内壁との間にはばねＡが設置され、左右両側の前記スライドブロックＢの間にはばねＢが設置され、前記スライドブロックＣと前記スライド溝Ｃの内壁との間にはばねＣが設置され、前記スライドブロックＡにはヒンジ連結ロッドＡがヒンジにより連結され、前記ヒンジ連結ロッドＡと前記スライドブロックＢとがヒンジにより連結され、前記スライドブロックＢにはヒンジ連結ロッドＢがヒンジにより連結され、前記ヒンジ連結ロッドＢと前記スライドブロックＣとがヒンジにより連結され、前記スライドブロックＣにはプッシュブロックが固定的に取り付けられ、前後両側の前記プッシュブロックの端面には挟みブロックが固定的に取り付けられ、前記スライドブロックＡの左端面には連接棒が固定的に取り付けられる。
【発明の効果】
【００１０】
本発明の有益な効果は：小分けボトルが便利に固定されることができ、便利に取り出すこともでき、昇降機構の作用のもとで洗浄ロッドが容易に小分けボトルの中に插入されることができ、洗浄ロッドの交換に便利であり、異なる規格の洗浄ロッドを利用し異なる種類の小分けボトルを洗浄でき、ボルト内の各位置が洗浄されることができ、普及する価値がある。
【図面の簡単な説明】
【００１１】
【図１】図１は本発明の全体構成略図
【図２】図２は図１のＡ方向の上面略図
【図３】図３は図１のＢの拡大略図
【図４】図４は図１のＣの拡大略図
【図５】図５は回転輪のＤ方向の略図
【図６】図６は図３のＥ−Ｅ方向の断面構成略図
【図７】図７は図４のＦ−Ｆ方向の断面構成略図
【図８】図８は引掛り連結溝の平面展開略図
【発明を実施するための形態】
【００１２】
下記に図１〜８をあわせて本発明について詳しく説明し、便利に説明するために、下記の方向を以下のように規定する：以下に述べる上下左右前後の方向と図１の自身投影関係の上下左右前後の方向とが一致である。
【００１３】
図１−８に示すように、本発明の小分けボトル自動洗浄装置は、洗浄本体９０１を含み、前記洗浄本体９０１はサイド板１２を含み、前記サイド板１２の右端面には底板３１と液体箱２３が固定的に取り付けられ、前記液体箱２３の頂部端面には連結ヘッド２０が固定的に取り付けられ、前記連結ヘッド２０の中には回転部品９０２が設置され、前記回転部品９０２は回転チャンバ５０の頂壁の中に固定的に取り付けられたモータ４７を含み、前記モータ４７の下向きの出力軸には伝動輪４８が固定的に取り付けられ、前記回転チャンバ５０の上下内壁の間には前記伝動輪４８と噛合する回転輪５１が回転できるように取り付けられ、前記回転輪５１の中には小分けボトルを洗浄する洗浄ロッド９０３が設置され、前記サイド板１２には昇降機構９０４が設置され、前記昇降機構９０４は前記サイド板１２の頂部端面に固定的に取り付けられる昇降モータ１６を含み、前記サイド板１２の左端面の中には昇降溝１４が設置され、前記昇降モータ１６の下向きの出力軸には前記昇降溝１４の中に入るねじボルト１５が固定的に連結され、前記昇降溝１４の中にはネジ山ブロック１３がスライドできるように取り付けられ、前記ネジ山ブロック１３と前記ねじボルト１５とがネジ山により係合され、前記ネジ山ブロック１３の左端面には挟み板１０が固定的に取り付けられ、前記挟み板１０には小分けボトル１１を挟むことができる挟み部品９０５が設置され、前記挟み部品９０５が二つあり、かつ前後対称となり、前後両側の前記挟み部品９０５は前記挟み板１０の頂部端面の中に位置する上方に開口したスライド溝Ａ３２と、スライド溝Ｂ３４及びスライド溝Ｃ３７を含む。
【００１４】
有益なまたは例示のように、前記洗浄本体９０１はまた前記液体箱２３と前記底板３１との間に位置する保存チャンバ２８を含み、前記保存チャンバ２８の上下内壁の間には回転ドア３０が回転できるように取り付けられ、前記液体箱２３の中には液体チャンバ２６が設置され、前記液体チャンバ２６の頂壁には加水口２５が固定的に取り付けられ、前記液体チャンバ２６の右側内壁には栓２７が密封で取り付けられ、前記連結ヘッド２０の中には水ポンプ２２が固定的に取り付けられ、前記水ポンプ２２の下方にある入水口には前記液体チャンバ２６の中に入る吸液パイプ２９が密封で取り付けられ、前記水ポンプ２２の上方にある出水口には液体流出パイプ１９が密封で取り付けられ、加水口２５により液体チャンバ２６の中に水と洗剤を入れ、栓２７を引き抜くと液体チャンバ２６の中にある液体を排出でき、水ポンプ２２を始動すると吸液パイプ２９を通じて液体を吸い、また液体流出パイプ１９を通じてパイプの中に噴射できる。
【００１５】
前記回転部品９０２はまた前記回転輪５１の中に位置する下方に開口した連結チャンバ５７を含み、前記液体流出パイプ１９の上端が左へ延びており且つ前記連結チャンバ５７の上端壁を貫通して前記連結チャンバ５７の中に位置し、前記連結チャンバ５７の内壁の中には前記液体流出パイプ１９を中心に対称になる引掛り連結溝５３が設置され、前記引掛り連結溝５３が開口部９９５とバックル部９９３に分けられ、モータ４７を始動すると伝動輪４８を駆動し回転させることができ、伝動輪４８が噛合により回転輪５１を駆動し回転させる。
【００１６】
有益なまたは例示のように、前記洗浄ロッド９０３は連結ロッド５５を含み、前記連結ロッド５５の頂部端面の中には回転ヘッド５６が回転できるように取り付けられ、前記液体流出パイプ１９が前記回転ヘッド５６と密封で連結されることができ、前記連結ロッド５５の外側端面には左右対称の引掛り連結ブロック５２が固定的に取り付けられ、前記引掛り連結ブロック５２が前記引掛り連結溝５３とスライドできるように係合されることができ、前記連結ロッド５５の左端面の中には左方に開口したスライド板溝６３が設置され、前記スライド板溝６３の中にはスライド板６１がスライドできるように取り付けられ、前記スライド板溝６３の上下内壁には対称のリミット溝５８が設置され、前記スライド板６１の上下端面には対称のリミットブロック６０が固定的に取り付けられ、前記リミットブロック６０と前記リミット溝５８とがスライドできるように係合され、前記スライド板溝６３の右側壁と前記連結ロッド５５の頂部端面との間にはパイプ５４が連通するように設置され、前記スライド板６１の左端面と前記連結ロッド５５の右端面にはスポンジ１７が設置され、洗浄ロッド９０３を取り付けるとき、引掛り連結ブロック５２を引掛り連結溝５３の開口部９９５に合わせて插入し、引掛り連結ブロック５２を回転させバックル部９９３の中に入らせる。
【００１７】
前記挟み部品９０５はまた前記スライド溝Ａ３２の中にスライドできるように取り付けられるスライドブロックＡ３３を含み、前記スライド溝Ｂ３４の中には左右対称のスライドブロックＢ３５がスライドできるように取り付けられ、前記スライド溝Ｃ３７の中にはスライドブロックＣ３８がスライドできるように取り付けられ、前記スライドブロックＡ３３と前記スライド溝Ａ３２の内壁との間にはばねＡ４４が設置され、左右両側の前記スライドブロックＢ３５の間にはばねＢ４５が設置され、前記スライドブロックＣ３８と前記スライド溝Ｃ３７の内壁との間にはばねＣ４６が設置され、前記スライドブロックＡ３３にはヒンジ連結ロッドＡ４３がヒンジにより連結され、前記ヒンジ連結ロッドＡ４３と前記スライドブロックＢ３４とがヒンジにより連結され、前記スライドブロックＢ３４にはヒンジ連結ロッドＢ４２がヒンジにより連結され、前記ヒンジ連結ロッドＢ４２と前記スライドブロックＣ３８とがヒンジにより連結され、前記スライドブロックＣ３８にはプッシュブロック４０が固定的に取り付けられ、前後両側の前記プッシュブロック４０の端面には挟みブロック４１が固定的に取り付けられ、前記スライドブロックＡ３３の左端面には連接棒３６が固定的に取り付けられ、両側の前記連接棒３６を互いに近付け、前記ヒンジ連結ロッドＡ４３と前記ヒンジ連結ロッドＢ４２との伝動により二つの前記挟みブロック４１を互いに離れさせ、小分けボトル１１を置くことができ、連接棒３６を緩めた後、ばねＡ４４、ばねＢ４５及びばねＣ４６の作用のもとで、挟みブロック４１が中間に移動し、小分けボトル１１を挟む。
【００１８】
使用するとき、加水口２５を通して液体チャンバ２６の中に水と洗剤を入れ、引掛り連結ブロック５２を引掛り連結溝５３の開口部９９５に合わせて插入され、九十度に回転した後に下に引っ張り、引掛り連結ブロック５２がバックル部９９３の中に入り、固定を完成し、両側の連接棒３６を中間に集め、スライドブロックＡ３３を駆動し中間に移動させ、ヒンジ連結ロッドＡ４３を駆動し移動させ、ヒンジ連結ロッドＡ４３が左右両側のスライドブロックＢ３５を駆動し左右に移動させ、ヒンジ連結ロッドＢ４２を駆動し同時に移動させ、両側のスライドブロックＣ３８を駆動し前後に移動させ、両側の挟みブロック４１が離れ初め、小分けボトル１１を挟み板１０に置き、連接棒３６を緩めた後に、ばねＡ４４、ばねＢ４５及びばねＣ４６の作用のもとで、両側のスライドブロックＡ３３が両側に移動し、スライドブロックＢ３５が互いに近づき、スライドブロックＣ３８が中間に移動し、同時に挟みブロック４１が中間に移動し、小分けボトル１１を挟み、昇降モータ１６を始動しねじボルト１５を駆動し回転させ、ねじボルト１５がネジ山係合によりネジ山ブロック１３と挟み板１０とを駆動し上に移動させ、洗浄ロッド９０３が小分けボトル１１に插入され、水ポンプ２２が起動され吸液パイプ２９を通じて液体を吸い、また液体流出パイプ１９を通じて噴射でき、モータ４７が起動され伝動輪４８を駆動し回転させ、伝動輪４８が噛合により回転輪５１を駆動し回転させ、連結ロッド５５が回転輪５１の回転と共に回転し、液体流出パイプ１９が水を噴射するとき、パイプ５４の中に入り、スライド板６１をプッシュし左に移動させ、左側のスポンジ１７が小分けボトル１１の内壁と周りの底壁にへばり付き、右側のスポンジ１７が中間の底壁と頂壁を洗浄でき、洗浄が終わると、栓２７を引き抜き液体チャンバ２６の中にある液体を排出する。
【００１９】
本発明の有益な効果は：小分けボトルが便利に固定されることができ、便利に取り出すこともでき、昇降機構の作用のもとで洗浄ロッドが容易に小分けボトルの中に插入されることができ、洗浄ロッドの交換に便利であり、異なる規格の洗浄ロッドを利用し異なる種類の小分けボトルを洗浄でき、ボルト内の各位置が洗浄されることができ、普及する価値がある。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【手続補正書】
【提出日】令和2年6月29日(2020.6.29)
【手続補正１】
【補正対象書類名】明細書
【補正対象項目名】全文
【補正方法】変更
【補正の内容】
【発明の詳細な説明】
【技術分野】
【０００１】
本願発明は不織布の回収と収納分野を取り上げ、具体的には不織布袋用の多層折畳と固定設備である。
【背景技術】
【０００２】
周知のよう、不織布袋はエコ製品の一種であり、その耐久性・美観性・通気性・循環利用可能などの良さで日常生活に広く利用されている。しかし、生産コストの面では、不織布袋は普通のビニール袋より生産コストが遥かに高い。一般的な大型スーパーは、プラスチック汚染を緩和するため、普通のビニール袋の使用を控え、着々と消費者に不織布袋を提供するようになった。また、伝統的な不織布袋を回収する時に、使用者は自ら袋を畳んで統一回収用の回収箱に捨てる必要があり、しかし、不織布袋は一定の弾性を帯びているため、手動で畳まれた不織布袋は広がり、一見回収箱は不織布袋で満たされたが、本当は数少ない不織布袋しか置かれない。そして不織布袋を再び消費者に提供する時に、まだしも広がった袋を畳んで手渡す必要があり、効率が悪く、時間と手間がかかる。さらに、伝統的な不織布袋は一体化したものであるが、不織布袋における最も損害しやすい部分は提手バックルである。伝統的な不織布袋の提手バックルが折れたら、使用できなくなり、そして使用できない不織布袋はポイ捨てされ、もし提手バックルを交換できれば、消費者はスーパーで提手バックルだけを交換するようになり、新品の不織布袋を購入する必要がない。従って、不織布袋用の多層折畳と固定設備を設計して、上記の問題を解決する必要がある。
【先行技術文献】
【特許文献】
【０００３】
【特許文献１】中国特許出願公開第１０２０７９３２２号明細書
【発明の概要】
【発明が解決しようとする課題】
【０００４】
不織布袋用の多層折畳と固定設備を提供し、不織布袋を折畳むことができ、同時に折り畳まれた不織布袋を統一に固定し収納でき、設備は反応が素早く、自動化レベルが高い。
【課題を解決するための手段】
【０００５】
本願発明は以下の技術的解決策で実現される。
【０００６】
本願発明の不織布袋用の多層折畳と固定設備は、主体を含み、前記主体の左端面には主体ヘッドが固定的に設置され、前記主体の中には作業空間が設置され、前記主体ヘッドの中には左右に貫通した搬送溝が形成され、前記搬送溝は前記作業空間を連通し、前記搬送溝の中には不織布袋を置くことができ、前記不織布袋の右端には第一永久磁石が固定的に設置され、前記第一永久磁石には外方に開口した挿入穴が上下対称に設置され、前記第一永久磁石には第二永久磁石が上下対称に、且つ吸着できるように装着され、前記第二永久磁石には前記挿入孔の中に伸びることができるプラグが固定的に設置され、前記第二永久磁石の右端には提手バックルが固定的に設置され、前記主体ヘッドの中には前記不織布袋を前記作業空間の中に搬送し、且つ前記提手バックルを取り外すことができる搬送分解機構が設置され、
前記作業空間の頂壁の中には第一伝動空間が設置され、前記第一伝動空間と前記作業空間との間には下方折畳機構が設置され、前記下方折畳機構は前記提手バックルを取り外した後の前記不織布袋を下方へ一回折り畳み、且つ前記第二永久磁石を一個回収でき、前記下方折畳機構は前記作業空間を含み、前記作業空間の中には第一スライド板がスライド可能に設置され、前記第一スライド板の底面には押出板が固定的に設置され、前記作業空間の底壁は第一凹溝が連通するように形成され、前記押出板が下方へスライドした後に、前記提手バックルを取り外した前記不織布袋は折り畳まれて前記第一凹溝の中に押し込まれ、前記第一凹溝の左側端壁には第一スライド孔が連通するように設置され、前記作業空間の右側端壁には右方に開口したスライド空間が設置され、前記スライド空間と前記第一凹溝との間には第二凹溝が連通するように形成され、前記第一スライド孔と前記第二凹溝との間には右方折畳機構が設置され、前記右方折畳機構は一回折り畳まれた前記不織布袋をもう一回右方に折り畳み、且つ前記第二永久磁石を一個回収でき、前記第一スライド孔の中には磁石推動棒がスライド可能に設置され、前記磁石推動棒が右方へスライドした後に、一回折り畳まれた前記不織布袋は前記第二凹溝の中に押し込まれ、
前記スライド空間の中には回収箱がスライド可能に設置され、前記回収箱の中には左右に貫通した第一回収溝が形成され、前記スライド空間と前記第一スライド孔との間には包装固定機構が設置され、前記包装固定機構は二回折り畳まれた前記不織布袋を前記第一回収溝の中に回収することができる。
【０００７】
さらに、前記搬送分解機構は前記主体ヘッドを含み、前記搬送溝の上方に位置する前記主体ヘッドの左端面にはレーザセンサが固定的に設置され、前記レーザセンサは前記搬送溝の中に前記不織布袋が置いてあるかどうかを検知でき、前記搬送溝の頂壁には第二伝動空間が連通するように設置され、前記第二伝動空間の中には前後方向に延在した第一回転軸が回転可能に設置され、前記第一回転軸には第一摩擦輪が固定的に設置され、前記搬送溝の底壁には第三伝動空間が連通するように設置され、前記第三伝動空間の後側端壁には前記レーザセンサと通電可能に連結された第一モータが固定的に設置され、前記第一モータの前端には第一駆動軸が伝動可能に連結され、前記第一駆動軸には第一プーリが固定的に設置され、前記第三伝動空間の左側には前後方向に延在した第二回転軸が回転可能に設置され、前記第二回転軸には第二プーリが固定的に設置され、前記第二プーリと前記第一プーリとの間には第一ベルトが伝動可能に連結されている。
【０００８】
さらに、前記第一伝動空間と前記搬送溝との間には上下方向に延在した第一抜き穴が連通するように設置され、前記第一抜き穴の頂壁には前記第二永久磁石を吸引できる第三永久磁石が固定的に設置され、前記第三伝動空間の右端壁には前記搬送溝と連通した第二抜き穴が設置され、前記第二抜き穴の底壁には前記第二永久磁石を吸引できる第四永久磁石が固定的に設置され、前記主体ヘッドの後端面には固定かごが固定的に設置され、前記固定かごの中には上方に開口した第二回収溝が形成され、前記第二回収溝と前記第一抜き穴との間には第二スライド孔が連通するように設置され、前記第二回収溝と前記第二抜き穴との間には第三スライド孔が連通するように設置されている。
【０００９】
さらに、前記下方折畳機構は前記作業空間を含み、前記作業空間と前記第一伝動空間との間の端壁の中には第二モータが固定的に設置され、前記第二モータは前記レーザセンサと通電可能に連結され、前記第二モータの底端にはスクリューが伝動可能に連結され、前記第一スライド板の中には前記スクリューと噛み合った雌ねじが設置され、前記第二モータの頂端には第二駆動軸が伝動可能に連結され、前記第二駆動軸には第三プーリが固定的に設置され、前記第一伝動空間の左端には上下方向に延在した第三回転軸が回転可能に設置され、前記第三回転軸には第四プーリと前記第四プーリの下方に位置する第一カムとが固定的に設置され、前記第四プーリと前記第三プーリとの間には第二ベルトが伝動可能に連結されている。
【００１０】
さらに、前記右方折畳機構は前記第一凹溝を含み、前記第一凹溝の底壁にはスイッチが固定的に設置され、前記第二抜き穴の右端壁には第四伝動空間が連通するように設置され、前記第四伝動空間と前記第一スライド孔との間の端壁の中には前記スイッチと通電可能に連結された環状電磁石が固定的に設置され、前記第四伝動空間の底壁には上方に延在した第四回転軸が回転可能に設置され、前記第四回転軸には第一リールと前記第一リールの下方に位置する第二カムとが固定的に設置され、前記第二カムと前記第四伝動空間の底壁との間には第一捻りばねが連結され、前記第一リールと前記磁石推動棒との間には第一鋼線が連結されている。
【００１１】
さらに、前記包装固定機構は前記スライド空間を含み、前記第二凹溝の底壁には前記スライド空間を連通した第四スライド孔が設置され、前記第四スライド孔の中には推動棒がスライド可能に設置され、前記推動棒と前記第四スライド孔の左端壁との間には第一ばねが連結され、前記スライド空間の中には第二スライド板がスライド可能に設置され、前記第二スライド板と前記スライド空間の底壁との間には第二ばねが連結され、前記第二スライド板には前記回収箱を装着でき、前記第四スライド孔の底壁には前記スライド空間を連通した第五伝動空間が設置され、前記第五伝動空間の中には前後方向に延在した第五回転軸が回転可能に設置され、前記第五回転軸には前記第二スライド板の左端面と摩擦接触できる第二摩擦輪が固定的に設置され、前記第二摩擦輪の前端面には第二リールが固定的に設置され、前記第四スライド孔と前記第五伝動空間との間には線溝が連通するように形成され、前記推動棒と前記第二リールとの間には第二鋼線が連結されている。
【００１２】
さらに、前記スライド空間の後側端壁には第六伝動空間が連通するように設置され、前記第六伝動空間の左側端壁の中には第七伝動空間が設置され、前記第七伝動空間と前記第六伝動空間との間には左右方向に延在した第六回転軸が回転可能に設置され、前記第六伝動空間の中にある前記第六回転軸には前記回収箱と摩擦接触できる第三摩擦輪が固定的に設置され、前記第七伝動空間の中にある前記第六回転軸にはラチェットが固定的に設置され、前記第七伝動空間の左側端壁の中には第八伝動空間が設置され、前記第八伝動空間と前記第七伝動空間との間には左右方向に延在した第七回転軸が回転可能に設置され、前記第七伝動空間の中にある前記第七回転軸には前記ラチェットと噛み合った歯止めが回転可能に設置され、前記歯止めと前記第七回転軸の外表面との間には第二捻りばねが連結され、前記第八伝動空間の中にある前記第七回転軸には第一傘歯車が固定的に設置され、前記第一スライド孔の後側端壁には第九伝動空間が連通するように設置され、前記第九伝動空間と前記第八伝動空間との間には上下方向に延在した第八回転軸が回転可能に設置され、前記第八伝動空間の中にある前記第八回転軸には前記第一傘歯車と噛み合った第二傘歯車が固定的に設置され、前記第九伝動空間の中にある前記第八回転軸には円形歯車が固定的に設置され、前記磁石推動棒の後端面には前記円形歯車と噛み合ったラックが固定的に設置されている。
【発明の効果】
【００１３】
本願発明は以下のプラス効果を有する：本願発明である設備は不織布袋の提手バックルを取り出した後に袋に二次畳みを行い、折り畳まれた不織布袋は統一に回収箱に収納され、そして設備は折り畳まれた不織布袋を固定し、設備によって回収された不織布袋は整然であり、同時に二次畳みされた後の不織布袋が占めるスペースは少なく、保存と収納に便利であり、また、設備は運動エネルギーに対する利用率が高く、不織布袋を置く前に顧客は手動で第二永久磁石を取り外し必要がなく、さらに、設備は自動的に提手バックルを回収でき、簡便であり、ほかにも、設備全体は自動化レベルが高く、反応が素早く、操作が明白で簡単である。
【図面の簡単な説明】
【００１４】
下記に図１〜７を合わせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本願発明の実施例の機械構成略図
【図２】図２は図１におけるＤの拡大構成略図
【図３】図３は図１におけるＥの拡大構成略図
【図４】図４は図１のおけるＣ―Ｃの構成略図
【図５】図５は図４におけるＦ―Ｆの構成略図
【図６】図６は図１におけるＢ―Ｂの構成略図
【図７】図７は図１におけるＡ―Ａの構成略図
【発明を実施するための形態】
【００１６】
図１〜７を合わせ、本願に記載された不織布袋用の多層折畳と固定設備は、主体４０を含み、前記主体４０の左端面には主体ヘッド１８が固定的に設置され、前記主体４０の中には作業空間３６が設置され、前記主体ヘッド１８の中には左右に貫通した搬送溝５３が形成され、前記搬送溝５３は前記作業空間３６を連通し、
前記搬送溝５３の中には不織布袋５４を置くことができ、前記不織布袋５４の右端には第一永久磁石５８が固定的に設置され、前記第一永久磁石５８には外方に開口した挿入穴５９が上下対称に設置され、前記第一永久磁石５８には第二永久磁石６２が上下対称に、且つ吸着できるように装着され、前記第二永久磁石６２には前記挿入孔５９の中に伸びることができるプラグ６０が固定的に設置され、前記第二永久磁石６２の右端には提手バックル６１が固定的に設置され、前記主体ヘッド１８の中には前記不織布袋５４を前記作業空間３６の中に搬送し、且つ前記提手バックル６１を取り外すことができる搬送分解機構９９が設置され、
前記作業空間３６の頂壁の中には第一伝動空間４５が設置され、前記第一伝動空間４５と前記作業空間３６との間には下方折畳機構９８が設置され、前記下方折畳機構９８は前記提手バックル６１を取り外した後の前記不織布袋５４を下方へ一回折り畳み、且つ前記第二永久磁石６２を一個回収でき、前記下方折畳機構９８は前記作業空間３６を含み、前記作業空間３６の中には第一スライド板３８がスライド可能に設置され、前記第一スライド板３８の底面には押出板４４が固定的に設置され、前記作業空間３６の底壁は第一凹溝７２が連通するように形成され、前記押出板４４が下方へスライドした後に、前記提手バックル６１を取り外した前記不織布袋５４は折り畳まれて前記第一凹溝７２の中に押し込まれ、
前記第一凹溝７２の左側端壁には第一スライド孔６４が連通するように設置され、前記作業空間３６の右側端壁には右方に開口したスライド空間３３が設置され、前記スライド空間３３と前記第一凹溝７２との間には第二凹溝７３が連通するように形成され、前記第一スライド孔６４と前記第二凹溝７３との間には右方折畳機構９６が設置され、前記右方折畳機構９６は一回折り畳まれた前記不織布袋５４をもう一回右方に折り畳み、且つ前記第二永久磁石６２を一個回収でき、前記第一スライド孔６４の中には磁石推動棒６６がスライド可能に設置され、前記磁石推動棒６６が右方へスライドした後に、一回折り畳まれた前記不織布袋５４は前記第二凹溝７３の中に押し込まれ、
前記スライド空間３３の中には回収箱３４がスライド可能に設置され、前記回収箱３４の中には左右に貫通した第一回収溝３５が形成され、前記スライド空間３３と前記第一スライド孔６４との間には包装固定機構９７が設置され、前記包装固定機構９７は二回折り畳まれた前記不織布袋５４を前記第一回収溝３５の中に回収することができる。
【００１７】
前記搬送分解機構９９は前記主体ヘッド１８を含み、前記搬送溝５３の上方に位置する前記主体ヘッド１８の左端面にはレーザセンサ１３が固定的に設置され、前記レーザセンサ１３は前記搬送溝５３の中に前記不織布袋５４が置いてあるかどうかを検知でき、前記搬送溝５３の頂壁には第二伝動空間５０が連通するように設置され、前記第二伝動空間５０の中には前後方向に延在した第一回転軸５２が回転可能に設置され、前記第一回転軸５２には第一摩擦輪５１が固定的に設置され、前記搬送溝５３の底壁には第三伝動空間１４が連通するように設置され、前記第三伝動空間１４の後側端壁には前記レーザセンサ１３と通電可能に連結された第一モータ５５が固定的に設置され、前記第一モータ５５の前端には第一駆動軸５７が伝動可能に連結され、前記第一駆動軸５７には第一プーリ５６が固定的に設置され、前記第三伝動空間１４の左側には前後方向に延在した第二回転軸１６が回転可能に設置され、前記第二回転軸１６には第二プーリ１５が固定的に設置され、前記第二プーリ１５と前記第一プーリ５６との間には第一ベルト１７が伝動可能に連結されている。
【００１８】
前記第一伝動空間４５と前記搬送溝５３との間には上下方向に延在した第一抜き穴１２が連通するように設置され、前記第一抜き穴１２の頂壁には前記第二永久磁石６２を吸引できる第三永久磁石１０が固定的に設置され、前記第三伝動空間１４の右端壁には前記搬送溝５３と連通した第二抜き穴１９が設置され、前記第二抜き穴１９の底壁には前記第二永久磁石６２を吸引できる第四永久磁石２１が固定的に設置され、前記主体ヘッド１８の後端面には固定かご８９が固定的に設置され、前記固定かご８９の中には上方に開口した第二回収溝９０が形成され、前記第二回収溝９０と前記第一抜き穴１２との間には第二スライド孔１１が連通するように設置され、前記第二回収溝９０と前記第二抜き穴１９との間には第三スライド孔２０が連通するように設置され、前記第一摩擦輪５１と前記第一ベルト１７との間に前記不織布袋５４を置くことができ、前記不織布袋５４を置いた後に、前記レーザセンサ１３は検知で前記第一モータ５５をしばらく作動させ、前記第一モータ５５は前記第一駆動軸５７を回転連動させ、前記第一駆動軸５７は前記第一プーリ５６を回転連動させ、前記第一プーリ５６は前記第一ベルト１７を回転連動させ、この時、前記第一ベルト１７は前記不織布袋５４を右方へ前記作業空間３６の中に送り、前記不織布袋５４にある前記第一永久磁石５８が前記第一抜き穴１２と前記第二抜き穴１９とが面一になる時、前記第三永久磁石１０は前記不織布袋５４の上方にある前記第二永久磁石６２を吸引し、前記第四永久磁石２１は前記不織布袋５４の下方にある前記第二永久磁石６２を吸引し、即ち、この時に前記提手バックル６１は前記不織布袋５４から取り外される。
【００１９】
前記下方折畳機構９８は前記作業空間３６を含み、前記作業空間３６と前記第一伝動空間４５との間の端壁の中には第二モータ４１が固定的に設置され、前記第二モータ４１は前記レーザセンサ１３と通電可能に連結され、前記第二モータ４１の底端にはスクリュー３７が伝動可能に連結され、前記第一スライド板３８の中には前記スクリュー３７と噛み合った雌ねじ３９が設置され、前記第二モータ４１の頂端には第二駆動軸４２が伝動可能に連結され、前記第二駆動軸４２には第三プーリ４３が固定的に設置され、前記第一伝動空間４５の左端には上下方向に延在した第三回転軸４９が回転可能に設置され、前記第三回転軸４９には第四プーリ４７と前記第四プーリ４７の下方に位置する第一カム４８とが固定的に設置され、前記第四プーリ４７と前記第三プーリ４３との間には第二ベルト４６が伝動可能に連結され、前記レーザセンサ１３が前記不織布袋５４は前記搬送溝５３の中に置かれたことを検知した後に、しばらく経つと、前記第二モータ４１は前記第二駆動軸４２と前記スクリュー３７とを連動させて一回正逆回転させ、前記スクリュー３７は前記雌ねじ３９によって前記第一スライド板３８を連動させて上下にスライドさせ、前記押出板４４は前記第一スライド板３８に駆動されて下方へ前記第二永久磁石６２を取り外した前記不織布袋５４を前記第一凹溝７２の中に押し込み、そして上方へ初期位置に戻り、それと同時に、前記第二駆動軸４２は前記第三プーリ４３を回転連動させ、前記第三プーリ４３は前記第二ベルト４６によって前記第四プーリ４７を回転連動させ、前記第四プーリ４７は前記第一カム４８を回転連動させ、前記第一カム４８が回転した後に前記第三永久磁石１０の吸着した前記第二永久磁石６２を前記第二スライド孔１１の中に叩き込み、前記第二永久磁石６２は前記第二スライド孔１１を通過した後に前記第二回収溝９０の中に入る。  
【００２０】
前記右方折畳機構９６は前記第一凹溝７２を含み、前記第一凹溝７２の底壁にはスイッチ７１が固定的に設置され、前記第二抜き穴１９の右端壁には第四伝動空間２６が連通するように設置され、前記第四伝動空間２６と前記第一スライド孔６４との間の端壁の中には前記スイッチ７１と通電可能に連結された環状電磁石６３が固定的に設置され、前記第四伝動空間２６の底壁には上方に延在した第四回転軸２３が回転可能に設置され、前記第四回転軸２３には第一リール２２と前記第一リール２２の下方に位置する第二カム２５とが固定的に設置され、前記第二カム２５と前記第四伝動空間２６の底壁との間には第一捻りばね２４が連結され、前記第一リール２２と前記磁石推動棒６６との間には第一鋼線６５が連結され、前記不織布袋５４が前記第一凹溝７２に押し込まれて一回折り畳まれた後に、前記不織布袋５４は力を受けて前記スイッチ７１を圧迫し、前記スイッチ７１は圧迫を受けた後に、前記環状電磁石６３は通電して前記磁石推動棒６６を排斥し、前記磁石推動棒６６が右方へスライドして前記第一凹溝７２の中にある前記不織布袋５４を右方へ前記第二凹溝７３の中に押し込んで第二回の折畳を行い、それと同時に、前記磁石推動棒６６は右方へスライドし、且つ前記第一鋼線６５を通じて前記第一リール２２を回転連動させ、前記第一リール２２は前記第二カム２５を回転連動させ、前記第二カム２５が回転した後に、前記第四永久磁石２１の吸着した前記第二永久磁石６２は前記第三スライド孔２０の中に叩き込まれ、前記第二永久磁石６２は前記第三スライド孔２０を通過して前記第二回転溝９０の中に入る。
【００２１】
前記包装固定機構９７は前記スライド空間３３を含み、前記第二凹溝７３の底壁には前記スライド空間３３を連通した第四スライド孔９１が設置され、前記第四スライド孔９１の中には推動棒６９がスライド可能に設置され、前記推動棒６９と前記第四スライド孔９１の左端壁との間には第一ばね７０が連結され、前記スライド空間３３の中には第二スライド板３２がスライド可能に設置され、前記第二スライド板３２と前記スライド空間３３の底壁との間には第二ばね３１が連結され、前記第二スライド板３２には前記回収箱３４を装着でき、前記第四スライド孔９１の底壁には前記スライド空間３３を連通した第五伝動空間２７が設置され、前記第五伝動空間２７の中には前後方向に延在した第五回転軸３０が回転可能に設置され、前記第五回転軸３０には前記第二スライド板３２の左端面と摩擦接触できる第二摩擦輪２８が固定的に設置され、前記第二摩擦輪２８の前端面には第二リール２９が固定的に設置され、前記第四スライド孔９１と前記第五伝動空間２７との間には線溝６７が連通するように形成され、前記推動棒６９と前記第二リール２９との間には第二鋼線６８が連結されている。
【００２２】
前記スライド空間３３の後側端壁には第六伝動空間７４が連通するように設置され、前記第六伝動空間７４の左側端壁の中には第七伝動空間７７が設置され、前記第七伝動空間７７と前記第六伝動空間７４との間には左右方向に延在した第六回転軸７６が回転可能に設置され、前記第六伝動空間７４の中にある前記第六回転軸７６には前記回収箱３４と摩擦接触できる第三摩擦輪７５が固定的に設置され、前記第七伝動空間７７の中にある前記第六回転軸７６にはラチェット８７が固定的に設置され、前記第七伝動空間７７の左側端壁の中には第八伝動空間８１が設置され、前記第八伝動空間８１と前記第七伝動空間７７との間には左右方向に延在した第七回転軸７８が回転可能に設置され、前記第七伝動空間７７の中にある前記第七回転軸７８には前記ラチェット８７と噛み合った歯止め８６が回転可能に設置され、前記歯止め８６と前記第七回転軸７８の外表面との間には第二捻りばね８５が連結され、前記第八伝動空間８１の中にある前記第七回転軸７８には第一傘歯車７９が固定的に設置され、前記第一スライド孔６４の後側端壁には第九伝動空間８４が連通するように設置され、前記第九伝動空間８４と前記第八伝動空間８１との間には上下方向に延在した第八回転軸８２が回転可能に設置され、前記第八伝動空間８１の中にある前記第八回転軸８２には前記第一傘歯車７９と噛み合った第二傘歯車８０が固定的に設置され、前記第九伝動空間８４の中にある前記第八回転軸８２には円形歯車８３が固定的に設置され、前記磁石推動棒６６の後端面には前記円形歯車８３と噛み合ったラック８８が固定的に設置され、前記第二凹溝７３の中にある二回畳まれた前記不織布袋５４が右方へスライドして前記第一回収溝３５の中に伸びることができ、この時に、前記第一回収溝３５は折り畳まれた前記不織布袋５４を固定し、前記不織布袋５４が自身の弾性で折畳状態を解くことを避け、次に、前記環状電磁石６３は停電され、前記磁石推動棒６６は前記第一捻りばね２４の捻りによって左方へスライドし、前記磁石推動棒６６が左方へスライドした後に、前記磁石推動棒６６は前記ラック８８によって前記円形歯車８３を回転連動させ、前記円形歯車８３は前記第二傘歯車８０を回転連動させ、前記第二傘歯車８０は前記第一傘歯車７９と前記歯止め８６とを回転連動させ、この時に前記歯止め８６は前記ラチェット８７を回転連動させることができ、前記ラチェット８７は前記第三摩擦輪７５を回転連動させ、前記第三摩擦輪７５が前記回収箱３４を連動させて下方へ一定の距離をスライドさせ、即ち、前記右方折畳機構９６が二次折畳を完成した後に、前記回収箱３４は一定の距離を降下し、前記不織布袋５４に押し込まれていない前記第一回収溝３５を前記第二凹溝７４と同じ水平線に位置させ、前記回収箱３４の中にある前記第一回収溝３５の中にいずれも折り畳まれた前記不織布袋５４を押し込んだ後に、前記第二スライド板３２が下方へスライドし、前記第二摩擦輪２８と摩擦でき、前記第二スライド板３２は前記第二摩擦輪２８を回転連動させ、前記第二摩擦輪２８は前記第二リール２９を回転連動させ、前記第二リール２９が回転し、前記第二鋼線６８を緩み、前記第二鋼線６８が緩められた後に、前記推動棒６９は前記第一ばね７０の弾力によって右方へスライドし、前記回収箱３４を前記スライド空間３３の中から押し出し、前記回収箱３４が前記スライド空間３３から押し出された後に、前記第二スライド板３２が前記第二ばね３１の弾力によて初期位置に戻り、前記回収箱３４を再び前記第二スライド板３２に取り付け、前記包装固定機構９７は引き続き作動する。
【００２３】
設備全体の作動手順は以下の通りである。
【００２４】
１、まず前記不織布袋５４を前記第一ベルト１７と前記第一摩擦輪５１との間に置き、前記不織布袋５４を置いた後に、前記レーザセンサ１３は検知で前記第一モータ５５をしばらく作動させ、前記第二モータ４１はしばらく経った後に作動する。
【００２５】
２、前記第一モータ５５は前記第一駆動軸５７を回転連動させ、前記第一駆動軸５７は前記第一プーリ５６を回転連動させ、前記第一プーリ５６は前記第一ベルト１７を回転連動させ、この時、前記第一ベルト１７は前記不織布袋５４を右方へ前記作業空間３６の中に送り、前記不織布袋５４にある前記第一永久磁石５８が前記第一抜き穴１２と前記第二抜き穴１９とが面一になる時、前記第三永久磁石１０は前記不織布袋５４の上方にある前記第二永久磁石６２を吸引し、前記第四永久磁石２１は前記不織布袋５４の下方にある前記第二永久磁石６２を吸引し、即ち、この時に上下の前記第二永久磁石６２が第一永久磁石５８と離れ、第二永久磁石６２が前記提手バックル６１を連動させて前記不織布袋５４から取り外し、設備は自動的に前記提手バックル６１を取り外すことができ、折り畳む時に前記提手バックル６１の妨害を受けるためシワ  を生じることはなく、取り外し可能な前記提手バックル６１は使用中に壊れても取り替えられることができ、汎用性が強い。
【００２６】
３、次に、前記第二永久磁石６２を取り外した前記不織布袋５４は右方へスライドして前記作業空間３６の中に入り、且つ前記第一凹溝７２の真上方に位置し、この時に、前記第二モータ４１は前記第二駆動軸４２と前記スクリュー３７とを連動させて一回正逆回転させ、前記スクリュー３７は前記雌ねじ３９によって前記第一スライド板３８を連動させて上下にスライドさせ、前記押出板４４は前記第一スライド板３８に駆動されて下方へ前記第二永久磁石６２を取り外した前記不織布袋５４を前記第一凹溝７２の中に押し込み、そして上方へ初期位置に戻る。
【００２７】
４、それと同時に、前記第二駆動軸４２は前記第三プーリ４３を回転連動させ、前記第三プーリ４３は前記第二ベルト４６によって前記第四プーリ４７を回転連動させ、前記第四プーリ４７は前記第一カム４８を回転連動させ、前記第一カム４８が回転した後に前記第三永久磁石１０の吸着した前記第二永久磁石６２を前記第二スライド孔１１の中に叩き込み、前記第二永久磁石６２は前記第二スライド孔１１を通過した後に前記第二回収溝９０の中に入り、設備は運動エネルギーに対する利用率が高く、前記不織布袋５４を置く前に顧客は手動で前記第二永久磁石６２を取り外す必要がなく、設備は自動的に前記提手バックル６１を回収でき、簡単で便利である。
【００２８】
５、前記不織布袋５４が前記第一凹溝７２に押し込まれて一回折り畳まれた後に、前記不織布袋５４は力を受けて前記スイッチ７１を圧迫し、前記スイッチ７１は圧迫を受けた後に、前記環状電磁石６３は通電して前記磁石推動棒６６を排斥し、前記磁石推動棒６６が右方へスライドして前記第一凹溝７２の中にある前記不織布袋５４を右方へ前記第二凹溝７３の中に押し込んで第二回の折畳を行い、二回折り畳まれた前記不織布袋５４の占めたスペースが少なく、収納に便利である。
【００２９】
６、それと同時に、前記磁石推動棒６６は右方へスライドし、且つ前記第一鋼線６５を通じて前記第一リール２２を回転連動させ、前記第一リール２２は前記第二カム２５を回転連動させ、前記第二カム２５が回転した後に、前記第四永久磁石２１の吸着した前記第二永久磁石６２は前記第三スライド孔２０の中に叩き込まれ、前記第二永久磁石６２は前記第三スライド孔２０を通過して前記第二回転溝９０の中に入る。
【００３０】
７、前記第二凹溝７３の中にある二回畳まれた前記不織布袋５４が右方へスライドして前記第一回収溝３５の中に伸びることができ、この時に、前記第一回収溝３５は折り畳まれた前記不織布袋５４を固定し、前記不織布袋５４が自身の弾性で折畳状態を解くことを避け、設備は折り畳まれた前記不織布袋５４を統一に固定し、回収された前記不織布袋５４は整然である。
【００３１】
８、次に、前記環状電磁石６３は停電され、前記磁石推動棒６６は前記第一捻りばね２４の捻りによって左方へスライドし、前記磁石推動棒６６が左方へスライドした後に、前記磁石推動棒６６は前記ラック８８によって前記円形歯車８３を回転連動させ、前記円形歯車８３は前記第二傘歯車８０を回転連動させ、前記第二傘歯車８０は前記第一傘歯車７９と前記歯止め８６とを回転連動させ、この時に前記歯止め８６は前記ラチェット８７を回転連動させることができ、前記ラチェット８７は前記第三摩擦輪７５を回転連動させ、前記第三摩擦輪７５が前記回収箱３４を連動させて下方へ一定の距離をスライドさせ、即ち、前記右方折畳機構９６が二次折畳を完成した後に、前記回収箱３４は一定の距離を降下し、前記不織布袋５４に押し込まれていない前記第一回収溝３５を前記第二凹溝７４と同じ水平線に位置させ、前記回収箱３４の中にある前記第一回収溝３５の中にいずれも折り畳まれた前記不織布袋５４を押し込んだ後に、前記第二スライド板３２が下方へスライドし、前記第二摩擦輪２８と摩擦でき、前記第二スライド板３２は前記第二摩擦輪２８を回転連動させ、前記第二摩擦輪２８は前記第二リール２９を回転連動させ、前記第二リール２９が回転し、前記第二鋼線６８を緩み、前記第二鋼線６８が緩められた後に、前記推動棒６９は前記第一ばね７０の弾力によって右方へスライドし、前記回収箱３４を前記スライド空間３３の中から押し出し、前記回収箱３４が前記スライド空間３３から押し出された後に、前記第二スライド板３２が前記第二ばね３１の弾力によて初期位置に戻り、前記回収箱３４を再び前記第二スライド板３２に取り付け、前記包装固定機構９７は引き続き作動し、設備は高い自動化レベルと、素早い反応速度と、簡単明白な操作方法を有する。
【００３２】
以上の実施例はあくまで本発明の技術的原理と特徴を説明するためのものであり、本分野の技術者に本発明を理解できることと実施できることを目的とし、本発明を限定するためのものではなく、本発明の意義と原則のもとで行われたいかなる修正と、等価置換と改善などは本発明の保護範囲に含まれるべきである。